(57)【要約】【課題】ＩＥＥＥ１３９４方式バスなどのネットワークで、複数台の機器間のコネクションを張る場合の処理を簡単にする。【解決手段】所定のネットワークに接続された機器の間で通信を行う場合に、ネットワークに接続された他の機器をコントロール可能なコントロール機器が、ネットワーク上に存在する接続可能な機器の候補を判断し、接続機能な機器の候補が１台だけ存在した場合に、該当する候補機器とコントロール機器との間で、自動的に所定のコネクションを張る制御を行う。【選択図】      図１１
2004254245.tif 000002
【特許請求の範囲】
【請求項１】
所定のネットワークに接続された機器の間で通信を行う通信方法において、
前記ネットワークに接続された他の機器をコントロール可能なコントロール機器が、ネットワーク上に存在する接続可能な機器の候補を判断し、
前記接続機能な機器の候補が１台だけ存在した場合に、該当する候補機器とコントロール機器との間で、自動的に所定のコネクションを張る制御を行う
通信方法。
【請求項２】
請求項１記載の通信方法において、
前記コントロール機器での接続機能な機器の候補の判断は、接続可能な機器のリストを表示させる際に行う
通信方法。
【請求項３】
請求項１記載の通信方法において、
前記所定のコネクションは、アイソクロナス転送用チャンネルを使用して２台の機器間でアイソクロナス転送を行うことを可能とするコネクションである
通信方法。
【請求項４】
請求項１記載の通信方法において、
前記コントロール機器は、前記自動的にコネクションを張った機器の電源投入状態を判断して、電源が投入されていない場合に、電源を投入させる指令を送る
通信方法。
【請求項５】
請求項１記載の通信方法において、
前記コントロール機器は、接続機能な機器の候補が複数台存在し、その内の１台に自動接続させることが登録されている場合に、その自動接続が登録された機器とコントロール機器との間で、自動的にコネクションを張る制御を行う
通信方法。
【請求項６】
請求項５記載の通信方法において、
前記コントロール機器は、前記自動的にコネクションを張った機器の電源投入状態を判断して、電源が投入されていない場合に、電源を投入させる指令を送る
通信方法。
【請求項７】
所定のネットワークに接続された他の機器との間での通信を制御するコントロール機能を有する通信装置において、
前記ネットワークに接続されたコントロール可能な被制御機器の数を判断し、その判断した被制御機器の台数が１台だけである場合に、該当する被制御機器との間に所定のコネクションを自動的に張るコネクション管理手段を備えた
通信装置。
【請求項８】
請求項７記載の通信装置において、
前記コネクション管理手段は、当該機器に接続可能な機器のリストを表示させる指示がある場合に、前記接続機能な被制御機器の数の判断を行う
通信装置。
【請求項９】
請求項７記載の通信装置において、
前記コネクション管理手段により張られる所定のコネクションは、アイソクロナス転送用チャンネルを使用して２台の機器間でアイソクロナス転送を行うことを可能とするコネクションである
通信装置。
【請求項１０】
請求項７記載の通信装置において、
前記コネクション管理手段は、前記自動的にコネクションを張った機器の電源投入状態を判断して、電源が投入されていない場合に、電源を投入させる指令を送る
通信装置。
【請求項１１】
請求項７記載の通信装置において、
前記コネクション管理手段は、前記接続機能な被制御機器の数の判断で、接続機能な機器の候補が複数台存在し、その内の１台に自動接続させることが登録されている場合に、その自動接続が登録された機器との間に所定のコネクションを自動的に張る
通信装置。
【請求項１２】
請求項１１記載の通信装置において、
前記コネクション管理手段は、前記自動的にコネクションを張った機器の電源投入状態を判断して、電源が投入されていない場合に、電源を投入させる指令を送る
通信装置。
【発明の詳細な説明】
【０００１】
【発明の属する技術分野】
本発明は、例えばＩＥＥＥ（Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ  ）１３９４方式のバスラインで接続された機器の間でデータ通信を行う通信方法と、この通信方法を適用した通信装置に関する。
【０００２】
【従来の技術】
ＩＥＥＥ１３９４方式のシリアルデータバスを用いたネットワークで介して、相互に情報を伝送することができるオーディオ機器やビデオ機器（以下これらの機器をＡＶ機器と称する）が開発されている。このバスを介してデータ伝送を行う際には、比較的大容量のデータをリアルタイム伝送する際に使用されるアイソクロナス転送モード（アイソクロナス通信）と、制御コマンドなどを確実に伝送する際に使用されるアシンクロナス転送モード（アシンクロナス通信）とが用意され、アイソクロナス転送モードの場合には、専用のチャンネルが伝送に使用される。また、ＩＥＥＥ１３９４方式では、アシンクロナス転送モードでの制御コマンドなどの伝送で、ＡＶ機器の遠隔制御を行うようにしたＡＶ／Ｃコマンドが用意されている。ＩＥＥＥ１３９４方式の詳細及びＡＶ／Ｃコマンドの詳細については、１３９４  Ｔｒａｄｅ  Ａｓｓｏｃｉａｔｉｏｎで公開しているＡＶ／Ｃ  Ｄｉｇｉｔａｌ  Ｉｎｔｅｒｆａｃｅ  Ｃｏｍｍａｎｄ  Ｓｅｔ  Ｇｅｎｅｒａｌ  Ｓｐｅｃｉｆｉｃａｔｉｏｎに記載されている。
【０００３】
ここで、従来のＩＥＥＥ１３９４方式のバスでアイソクロナス転送モードでデータ伝送を行う際には、ブロードキャストチャンネルと称される各機器で共通に使用されるチャンネルを使用していた。ブロードキャストチャンネルを使用する場合に、アイソクロナスチャンネルを管理するマネージャに対して、チャンネル権を獲得する処理を行い、そのチャンネル権を獲得された機器が、該当するチャンネルに伝送する。
【０００４】
このブロードキャストチャンネルを使用した伝送は、チャンネル権さえ獲得できれば、伝送が可能であるため、比較的簡単な制御で伝送が可能であるが、基本的に相手を特定しないで伝送する処理であるため、相手機器の状態に依存して自分の状態が決まるような性質を持つコントロール機器と、相手機器からの制御信号に依存して自分の状態が決まるような性質を持つターゲット機器とのコネクションを設立するのには適さない。
【０００５】
ブロードキャストチャンネルを使用しないで伝送する場合には、コントロール機器とターゲット機器との間で、アイソクロナス転送用のポイントトウポイントのコネクションを設立させて、そのコネクションが設立されたアイソクロナスチャンネルでデータを送出させる必要がある。例えば、コントロール機器の制御で、ターゲット機器との間でポイントトウポイントのコネクションを設立させた上で、ターゲット機器からアイソクロナスチャンネルでコントロール機器に転送させることで、コントロール機器で必要なデータが取得できる。
【０００６】
このポイントトウポイントのコネクションを設立させることで、ネットワーク上の他の機器から邪魔されることなく、２台の機器間での良好なデータ転送が可能になる。
【０００７】
ところで、コントロール機器側で、ポイントトウポイントのコネクションを設立させる場合には、まずネットワーク上に接続されたターゲット機器となり得る候補機器を探す処理が必要になる。即ち、コントロール機器側で、ネットワーク上に接続されてコントロール機器で通信可能な全ての機器を探索して、その結果を一覧表としてパネル表示させた上で、ユーザのキー操作などで、その表示された一覧の機器の中から所望の機器を選択するようにしていた。
【０００８】
図１６は、ＩＥＥＥ１３９４方式で、バスラインに接続された機器の中から、所望の機器を探して、捜し出した機器と接続させる従来の処理例を示したフローチャートである。ここでは、テレビジョン受像機をコントロール機器として、そのテレビジョン受像機にビデオデータやオーディオデータを送出することができる機器（ターゲット機器）を探す処理を行うものとする。まず、テレビジョン受像機（コントロール機器）では、ユーザがリモートコントロール装置のキー操作などにより、パネル表示ボタンを押す（ステップＳ１）。このパネル表示ボタンが押されることで、テレビジョン受像機のバス通信用の制御部は、バスラインに接続された機器を所定のプロセスで探す処理を行い、その捜し出された機器の一覧を、テレビジョン受像機の画面上にパネルとして表示させる。
【０００９】
図１７は、パネルの表示例を示した図である。ここでは、２台のハードディスク記録再生装置（ＨＤＤ１，ＨＤＤ２）と、２台のビデオテープ記録再生装置（ＶＴＲ１，ＶＴＲ２）と、種類が特定できないその他のＡＶ機器（ＯＴＨＥＲ１）との５台の機器が捜し出されて、その５台の機器の一覧表示ａが行われていると共に、パネル中に、その一覧表示中から接続させたい機器を選ぶ操作を促す表示ｂが行われている。
【００１０】
このパネル表示をユーザが確認した上で、そのときに接続させたい機器を、ユーザのキー操作で選択する。テレビジョン受像機のバス通信用の制御部は、一覧表示中の特定の１台の機器が選択されたと判断すると（ステップＳ２）、その選択された機器（ターゲット機器）とテレビジョン受像機（コントロール機器）との間で、バスライン上でアイソクロナス転送用のコネクションを張る処理を行って、ターゲット機器とテレビジョン受像機との間をデータ転送可能な状態に接続させ（ステップＳ３）、機器選択処理を終了する。
【００１１】
特許文献１は、上述したＩＥＥＥ１３９４方式で複数台のＡＶ機器のコネクションを張る処理の例について記載されている。
【００１２】
【特許文献１】
特表２００２−５１５６９２号公報
【００１３】
【発明が解決しようとする課題】
上述した従来の機器選択処理では、接続させる候補となる機器の一覧を表示させた上で、その一覧で表示された機器の中から選択する操作が必要であり、接続される機器が選ばれるまでの手間と時間がかかる問題があった。
【００１４】
本発明はかかる点に鑑みてなされたものであり、ＩＥＥＥ１３９４方式の如きネットワークで、複数台の機器間でのコネクションを確立させる際の処理を簡単にすることを目的とする。
【００１５】
【課題を解決するための手段】
本発明は、所定のネットワークに接続された機器の間で通信を行う場合に、ネットワークに接続された他の機器をコントロール可能なコントロール機器が、ネットワーク上に存在する接続可能な機器の候補を判断し、接続機能な機器の候補が１台だけ存在した場合に、該当する候補機器とコントロール機器との間で、自動的に所定のコネクションを張る制御を行うようにしたものである。
【００１６】
このようにしたことで、接続機能な機器が１台だけである場合には、自動的に所定のコネクションが張られるようになって、機器選択操作などが必要なくなる。
【００１７】
【発明の実施の形態】
以下、図１〜図１５を参照して本発明の一実施の形態について説明する。
【００１８】
まず、本発明を適用したネットワークシステムの構成例について、図１を参照して説明する。このネットワークシステムは、ＩＥＥＥ１３９４方式のシリアルデータバス９００（以下単にバス９００と称する）を介して、複数台の機器が接続してある。図１では、２台のＡＶ機器１００，２００を接続した例を示してあるが、システムで決められた多数の機器（例えば６３台まで）の同時接続が可能である。ここでは、バス９００に接続される２台の機器として、それぞれがＩＥＥＥ１３９４方式の端子を備えたテレビジョン受像機１００とハードディスク記録再生装置２００としてある。各機器１００，２００は、各機器単独で動作することも可能であるが、テレビジョン受像機１００からの制御で、ハードディスク記録再生装置２００が作動することもできるようにしてある。このテレビジョン受像機１００からの制御時には、テレビジョン受像機１００がコントローラとなり、ハードディスク記録再生装置２００がターゲット機器になる。
【００１９】
図２は、は、テレビジョン受像機１００の構成例を示すブロック図である。本例のテレビジョン受像機１００は、デジタルテレビジョン受像機と称されるデジタル放送を受信して、表示させる装置である。
【００２０】
図示しないアンテナが接続されたチューナ１０１で、所定のチャンネルを受信して得たデジタル放送データを、受信回路部１０２に供給し、デコードする。デコードされた放送データを、多重分離部１０３に供給して、映像データと音声データに分離する。分離された映像データを映像生成部１０４に供給し、受像用の処理を行い、その処理された信号によりＣＲＴ駆動回路部１０５で陰極線管（ＣＲＴ）１０６を駆動し、映像を表示させる。また、多重分離部１０３で分離された音声データを、音声信号再生部１０７に供給して、アナログ変換，増幅などの音声処理を行い、処理された音声信号をスピーカ１０８に供給して出力させる。
【００２１】
また、テレビジョン受像機１００は、ＩＥＥＥ１３９４方式のバスに接続するためのインターフェース部１０９を備えて、ＩＥＥＥ１３９４方式のバス側からこのインターフェース部１０９に得られる映像データや音声データを、多重分離部１０３に供給して、ＣＲＴ１０６での映像の表示及びスピーカ１０８からの音声の出力ができるようにしてある。また、チューナ１０１が受信して得た映像データや音声データを、多重分離部１０３からインターフェース部１０９に供給して、ＩＥＥＥ１３９４方式のバス側に送出できるようにしてある。
【００２２】
テレビジョン受像機１００での表示処理及びインターフェース部１０９を介した伝送処理については、中央制御ユニット（ＣＰＵ）１１０の制御により実行される。ＣＰＵ１１０には、制御に必要なプログラムなどが記憶されたＲＯＭであるメモリ１１１及びワークＲＡＭであるメモリ１１２が接続してある。また、操作パネル１１４からの操作情報及び赤外線受光部１１５が受光したリモートコントロール装置からの制御情報が、ＣＰＵ１１０に供給されて、その操作情報や制御情報に対応した動作制御を行うようにしてある。さらに、ＩＥＥＥ１３９４方式のバスを介してインターフェース部１０９が後述するＡＶ／Ｃコマンドなどの制御データを受信した際には、そのデータはＣＰＵ１１０に供給して、ＣＰＵ１１０が対応した動作制御を行えるようにしてある。
【００２３】
なお、ここで示したテレビジョン受像機１００は、表示手段として陰極線管（ＣＲＴ）を使用したタイプのものを一例として示ししたが、液晶表示パネルなどの他の表示手段を使用したタイプのテレビジョン受像機として構成しても良い。その場合には、表示手段に対応した駆動回路部１０５を用意すれば良い。
【００２４】
図３は、ハードディスク記録再生装置２００の構成例を示すブロック図である。
【００２５】
記録系の構成としては、ハードディスク記録再生装置２００に内蔵されたチューナ２０１で所定のチャンネルを受信して得たデジタル放送データを、ＭＰＥＧ（Ｍｏｖｉｎｇ  Ｐｉｃｔｕｒｅ  Ｅｘｐｅｒｓ  Ｇｒｏｕｐ  ）エンコーダ２０２に供給し、記録に適した方式、例えばＭＰＥＧ２方式の映像データ及び音声データとする。受信した放送データがＭＰＥＧ２方式の場合には、エンコーダ２０２での処理は必要ない。
【００２６】
ＭＰＥＧエンコーダ２０２でエンコードされたデータは、ディスク記録再生部２０３に供給して、記録用の処理を行い、処理された記録データをハードディスク２０４に記録させる。
【００２７】
外部から入力したアナログの映像信号及び音声信号については、アナログ／デジタル変換器２０６でデジタルデータに変換した後、ＭＰＥＧエンコーダ２０２で例えばＭＰＥＧ２方式の映像データ及び音声データとし、ディスク記録再生部２０３に供給して、ハードディスク２０４に記録させる。
【００２８】
再生系の構成としては、ハードディスク２０４から再生して得た信号を、ディスク記録再生部２０３で再生処理して映像データ及び音声データを得る。この映像データ及び音声データは、ＭＰＥＧデコーダ２０７に供給して、例えばＭＰＥＧ２方式からのデコードを行う。デコードされたデータは、デジタル／アナログ変換器２０８に供給して、アナログの映像信号及び音声信号とし、外部に出力させる。
【００２９】
また、ハードディスク記録再生装置２００は、ＩＥＥＥ１３９４方式のバスに接続するためのインターフェース部２０９を備えて、ＩＥＥＥ１３９４方式のバス側からこのインターフェース部２０９に得られる映像データや音声データを、記録再生部２０３に供給して、ハードディスク２０４に記録させることができるようにしてある。また、ハードディスク２０４から再生した映像データや音声データを、記録再生部２０３からインターフェース部２０９に供給して、ＩＥＥＥ１３９４方式のバス側に送出できるようにしてある。
【００３０】
このインターフェース部２０９を介した伝送時には、このハードディスク記録再生装置２００で媒体（ハードディスク）に記録する方式（例えば上述したＭＰＥＧ２方式）と、ＩＥＥＥ１３９４方式のバス上で伝送されるデータの方式とが異なるとき、ハードディスク記録再生装置２００内の回路で方式変換を行うようにしても良い。
【００３１】
ハードディスク記録再生装置２００での記録処理や再生処理、及びインターフェース部２０９を介した伝送処理については、中央制御ユニット（ＣＰＵ）２１０の制御により実行される。ＣＰＵ２１０には、ワークＲＡＭであるメモリ２１１が接続してある。また、操作パネル２１２からの操作情報及び赤外線受光部２１３が受光したリモートコントロール装置からの制御情報が、ＣＰＵ２１０に供給されて、その操作情報や制御情報に対応した動作制御を行うようにしてある。さらに、ＩＥＥＥ１３９４方式のバスを介してインターフェース部２０９が後述するＡＶ／Ｃコマンドなどの制御データを受信した際には、そのデータはＣＰＵ２１０に供給して、ＣＰＵ２１０が対応した動作制御を行えるようにしてある。
【００３２】
次に、各機器１００，２００を相互に接続したＩＥＥＥ１３９４方式のバス１でのデータ伝送状態について説明する。
【００３３】
図４は、ＩＥＥＥ１３９４方式のバスラインで接続された機器のデータ伝送のサイクル構造を示す図である。ＩＥＥＥ１３９４方式では、データは、パケットに分割され、１２５μＳの長さのサイクルを基準として時分割にて伝送される。このサイクルは、サイクルマスタ機能を有するノード（バスに接続ささたいずれかの機器）から供給されるサイクルスタート信号によって作り出される。アイソクロナスパケットは、全てのサイクルの先頭から伝送に必要な帯域（時間単位であるが帯域と呼ばれる）を確保する。このため、アイソクロナス伝送では、データの一定時間内の伝送が保証される。但し、受信側からの確認（アクノリッジメント）は行われず、伝送エラーが発生した場合は、保護する仕組みが無く、データは失われる。各サイクルのアイソクロナス伝送に使用されていない時間に、アービトレーションの結果、バスを確保したノードが、アシンクロナスパケットを送出するアシンクロナス伝送では、アクノリッジ、およびリトライを用いることにより、確実な伝送は保証されるが、伝送のタイミングは一定とはならない。
【００３４】
図４に示した１通信サイクル中の各アイソクロナスパケット（Ｉｓｏパケット）には、それぞれ個別のチャンネル番号０，１，２‥‥６３を付与して、複数のＩｓｏ伝送データを区別できるようにしてある。これがアイソクロナス用チャンネルであり、ここでは６４チャンネル用意されていて、チャンネル番号６３の６３ｃｈはブロードキャスト用チャンネルであり、その他のチャンネルはコネクションを設立させた上で特定の機器間で伝送されるチャンネルである。なお、ブロードキャスト用チャンネルとして６３ｃｈ以外のチャンネルを使用しても良い。
【００３５】
Ｉｓｏパケットの通信が終了した後、次のサイクルスタートパケットまでの期間が、アシンクロナスパケット（Ａｓｙｎｃパケット）の伝送に使用される。従って、Ａｓｙｎｃパケットが伝送できる期間は、そのときのＩｓｏパケットの伝送チャンネル数により変化する。また、Ｉｓｏパケットは、１通信サイクル毎に予約した帯域（チャンネル数）が確保される伝送方式であるが、受信側からの確認は行わない。Ａｓｙｎｃパケットで伝送する場合には、受信側からアクノリッジメント（Ａｃｋ）のデータを返送させて、伝送状態を確認しながら確実に伝送させる。
【００３６】
所定のノードがアイソクロナス伝送を行う為には、そのノードがアイソクロナス機能に対応していなければならない。また、アイソクロナス機能に対応したノードの少なくとも１つは、サイクルマスタ機能を有していなければならない。更に、ＩＥＥＥ１３９４シリアスバスに接続されたノードの中の少なくとも１つは、アイソクロナスリソースマネージャの機能を有していなければならない。
【００３７】
また、ＩＥＥＥ１３９４方式のバスで接続して構成されるネットワークシステムでは、各機器に個別に付与されたノードユニークＩＤの他に、ノードＩＤを持つようにしてある。このノードＩＤは、バスへの機器の新規の接続又はバスからの機器の取り外し等があって、バスリセットがあった際に、ネットワーク上に設けられたコントローラの制御で各機器から収集するようにしてある。
【００３８】
ＩＥＥＥ１３９４は、ＩＳＯ／ＩＥＣ１３２１３で規定された６４ビットのアドレス空間を有するＣＳＲ（Ｃｏｎｔｒｏｌ＆Ｓｔａｔｕｓ  Ｒｅｇｉｓｔｅｒ  ）アーキテクチャに準拠している。図５は、ＣＳＲアーキテクチャのアドレス空間の構造を説明する図である。上位１６ビットは、各ＩＥＥＥ１３９４上のノードを示すノードＩＤであり、残りの４８ビットが各ノードに与えられたアドレス空間の指定に使われる。この上位１６ビットは更にバスＩＤの１０ビットと物理ＩＤ（狭義のノードＩＤ）の６ビットに分かれる。全てのビットが１となる値は、特別な目的で使用されるため、１０２３個のバスと６３個のノードを指定することができる。ノードＩＤは、バスリセットがあった際に、付与し直される。バスリセットは、バスに接続される機器の構成が変化した場合に発生する。例えば、バスに接続されたいずれか１台の機器が外されたり、また新規にバスに機器が接続されことを認識したとき、バスリセットが実行される。
【００３９】
下位４８ビットにて規定されるアドレス空間のうちの上位２０ビットで規定される空間は、２０４８バイトのＣＳＲ特有のレジスタやＩＥＥＥ１３９４特有のレジスタ等に使用される初期化レジスタスペース（Ｉｎｉｔｉａｌ  Ｒｅｇｉｓｔｅｒ  Ｓｐａｃｅ）、プライベートスペース（Ｐｒｉｖａｔｅ  Ｓｐａｃｅ  ）、および初期化メモリスペース（Ｉｎｉｔｉａｌ  Ｍｅｍｏｒｙ  Ｓｐａｃｅ）などに分割され、下位２８ビットで規定される空間は、その上位２０ビットで規定される空間が、初期化レジスタスペースである場合、コンフィギレーションＲＯＭ（Ｃｏｎｆｉｇｕｒａｔｉｏｎ  ｒｅａｄ  ｏｎｌｙ  ｍｅｍｏｒｙ）、ノード特有の用途に使用される初期化ユニットスペース（Ｉｎｉｔｉａｌ  Ｕｎｉｔ  Ｓｐａｃｅ）、プラグコントロールレジスタ（Ｐｌｕｇ  Ｃｏｎｔｒｏｌ  Ｒｅｇｉｓｔｅｒ  （ＰＣＲｓ））などとして用いられる。
【００４０】
図６は、主要なＣＳＲのオフセットアドレス、名前、および働きを説明する図である。図６のオフセットとは、初期化レジスタスペースが始まるＦＦＦＦＦ０００００００ｈ（最後にｈのついた数字は１６進表示であることを表す）番地よりのオフセットアドレスを示している。オフセット２２０ｈを有するバンドワイズアベイラブルレジスタ（Ｂａｎｄｗｉｄｔｈ  Ａｖａｉｌａｂｌｅ  Ｒｅｇｉｓｔｅｒ）は、帯域割当て用のレジスタであり、アイソクロナス通信に割り当て可能な帯域を示しており、アイソクロナスリソースマネージャとして動作しているノードの値だけが有効とされる。すなわち、図５のＣＳＲは、各ノードが有しているが、バンドワイズアベイラブルレジスタについては、アイソクロナスリソースマネージャのものだけが有効とされる。換言すれば、バンドワイズアベイラブルレジスタは、実質的に、アイソクロナスリソースマネージャだけが有する。バンドワイズアベイラブルレジスタには、アイソクロナス通信に帯域を割り当てていない場合に最大値が保存され、帯域を割り当てる毎にその値が減少していく。
【００４１】
オフセット２２４ｈ乃至２２８ｈのチャンネルアベイラブルレジスタ（Ｃｈａｎｎｅｌｓ  Ａｖａｉｌａｂｌｅ  Ｒｅｇｉｓｔｅｒ  ）は、チャンネル割当て用のレジスタであり、その各ビットが０乃至６３番のチャンネル番号のそれぞれに対応し、ビットが０である場合には、そのチャンネルが既に割り当てられていることを示している。アイソクロナスリソースマネージャとして動作しているノードのチャンネルアベイラブルレジスタのみが有効である。
【００４２】
図５に戻り、初期化レジスタスペース内のアドレス２００ｈ乃至４００ｈに、ゼネラルＲＯＭ（ｒｅａｄ  ｏｎｌｙ  ｍｅｍｏｒｙ）フォーマットに基づいたコンフィギレーションＲＯＭが配置される。コンフィギレーションＲＯＭには、バスインフォブロック、ルートディレクトリ、およびユニットディレクトリが配置される。
【００４３】
インターフェースを介して、機器の入出力を制御する為、ノードは、図５のイニシャルユニットスペース内のアドレス９００ｈ乃至９ＦＦｈに、ＩＥＣ１８８３に規定されるＰＣＲ（Ｐｌｕｇ  Ｃｏｎｔｒｏｌ  Ｒｅｇｉｓｔｅｒ  ）を有する。これは、論理的にアナログインターフェースに類似した信号経路を形成するために、プラグという概念を実体化したものである。図７は、ＰＣＲの構成を説明する図である。ＰＣＲは、出力プラグを表すｏＰＣＲ（ｏｕｔｐｕｔ  Ｐｌｕｇ  Ｃｏｎｔｒｏｌ  Ｒｅｇｉｓｔｅｒ）、入力プラグを表すｉＰＣＲ（ｉｎｐｕｔ  Ｐｌｕｇ  Ｃｏｎｔｒｏｌ  Ｒｅｇｉｓｔｅｒ  ）を有する。また、ＰＣＲは、各機器固有の出力プラグまたは入力プラグの情報を示すレジスタｏＭＰＲ（ｏｕｔｐｕｔ  Ｍａｓｔｅｒ  Ｐｌｕｇ  Ｒｅｇｉｓｔｅｒ  ）とｉＭＰＲ（ｉｎｐｕｔ  Ｍａｓｔｅｒ  Ｐｌｕｇ  Ｒｅｇｉｓｔｅｒ）を有する。各機器は、ｏＭＰＲおよびｉＭＰＲをそれぞれ複数持つことはないが、個々のプラグに対応したｏＰＣＲおよびｉＰＣＲを、機器の能力によって複数持つことが可能である。図７に示されるＰＣＲは、それぞれ３１個のｏＰＣＲおよびｉＰＣＲを有する。アイソクロナスデータの流れは、これらのプラグに対応するレジスタを操作することによって制御される。
【００４４】
図８は、バスインフォブロック、ルートディレクトリ、及びユニットディレクトリの詳細を示す図である。バスインフォブロック内のカンパニーＩＤには、機器の製造者を示すＩＤ番号が格納される。チップＩＤには、その機器固有の、他の機器と重複のない世界で唯一のＩＤが記憶される。このカンパニーＩＤとチップＩＤを使用して、各機器に固有の識別番号であるノードユニークＩＤが生成される。また、ＩＥＣ１８３３の規格により、ＩＥＣ１８３３を満たした機器のユニットディレクトリのユニットスペックＩＤの、ファーストオクテットには００ｈが、セカンドオクテットにはＡ０ｈが、サードオクテットには２Ｄｈが、それぞれ書き込まれる。更に、ユニットスイッチバージョン（Ｕｎｉｔ  ｓｗ  ｖｅｒｓｉｏｎ  ）のファーストオクテットには０１ｈが、サードオクテットのＬＳＢ（Ｌｅａｓｔ  Ｓｉｇｎｉｆｉｃａｎｔ  Ｂｉｔ  ）には、１が書き込まれる。
【００４５】
図９は、ｏＭＰＲ，ｏＰＣＲ，ｉＭＰＲ、およびｉＰＣＲの構成を示す図である。図９ＡはｏＭＰＲの構成を、図９ＢはｏＰＣＲの構成を、図９ＣはｉＭＰＲの構成を、図９ＤはｉＰＣＲの構成を、それぞれ示す。ｏＭＰＲおよびｉＭＰＲのＭＳＢ側の２ビットのデータレートの能力（ｄａｔａ  ｒａｔｅ  ｃａｐａｂｉｌｉｔｙ）には、その機器が送信または受信可能なアイソクロナスデータの最大伝送速度を示すコードが格納される。ｏＭＰＲの同報チャンネルベース（ｂｒｏａｄｃａｓｔ  ｃｈａｎｎｅｌ  ｂａｓｅ）は、ブロードキャスト出力（同報出力）に使用されるチャンネルの番号を規定する。
【００４６】
ｏＭＰＲのＬＳＢ側の５ビットの出力プラグ数（ｎｕｍｂｅｒ  ｏｆ  ｏｕｔｐｕｔ  ｐｌｕｇｓ）には、その機器が有する出力プラグ数、すなわちｏＰＣＲの数を示す値が格納される。ｉＭＰＲのＬＳＢ側の５ビットの入力プラグ数（ｎｕｍｂｅｒ  ｏｆ  ｉｎｐｕｔ  ｐｌｕｇｓ  ）には、その機器が有する入力プラグ数、すなわちｉＰＣＲの数を示す値が格納される。主拡張フィールド及び補助拡張フィールドは、将来の拡張の為に定義された領域である。
【００４７】
ｏＰＣＲおよびｉＰＣＲのＭＳＢのオンライン（ｏｎ−ｌｉｎｅ  ）は、プラグの使用状態を示す。即ち、その値が１であればそのプラグがオンラインであり、０であればオフラインであることを示す。ｏＰＣＲおよびｉＰＣＲの同報コネクションカウンタ（ｂｒｏａｄｃａｓｔ  ｃｏｎｎｅｃｔｉｏｎ  ｃｏｕｎｔｅｒ）の値は、同報コネクションの有り（１）または無し（０）を表す。ｏＰＣＲおよびｉＰＣＲの６ビット幅を有するポイントトウポイントコネクションカウンタ（ｐｏｉｎｔ−ｔｏ−ｐｏｉｎｔ  ｃｏｎｎｅｃｔｉｏｎ  ｃｏｕｎｔｅｒ  ）が有する値は、そのプラグが有するポイントトウポイントコネクション（ｐｏｉｎｔ−ｔｏ−ｐｏｉｎｔ  ｃｏｎｎｅｃｔｉｏｎ  ）の数を表す。ポイントトウポイントコネクション（以下Ｐ−Ｐコネクションと称する）は、特定の１つのノードと他の特定のノード間だけで伝送を行うためのコネクションである。
【００４８】
ｏＰＣＲおよびｉＰＣＲの６ビット幅を有するチャンネル数（ｃｈａｎｎｅｌ  ｎｕｍｂｅｒ）が有する値は、そのプラグが接続されるアイソクロナスチャンネルの番号を示す。ｏＰＣＲの２ビット幅を有するデータレート（ｄａｔａ  ｒａｔｅ  ）の値は、そのプラグから出力されるアイソクロナスデータのパケットの現実の伝送速度を示す。ｏＰＣＲの４ビット幅を有するオーバーヘッドＩＤ（ｏｖｅｒｈｅａｄ  ＩＤ  ）に格納されるコードは、アイソクロナス通信のオーバーのバンド幅を示す。ｏＰＣＲの１０ビット幅を有するペイロード（ｐａｙｌｏａｄ  ）の値は、そのプラグが取り扱うことができるアイソクロナスパケットに含まれるデータの最大値を表す。
【００４９】
図１０はプラグ、プラグコントロールレジスタ、およびアイソクロナスチャンネルの関係を表す図である。ここではＩＥＥＥ１３９４方式のバスに接続された機器を、ＡＶデバイス（ＡＶ−ｄｅｖｉｃｅ  ）９１〜９３として示してある。ＡＶデバイス９３のｏＭＰＲにより伝送速度とｏＰＣＲの数が規定されたｏＰＣＲ〔０〕〜ｏＰＣＲ〔２〕のうち、ｏＰＣＲ〔１〕によりチャンネルが指定されたアイソクロナスデータは、ＩＥＥＥ１３９４シリアスバスのチャンネル＃１に送出される。ＡＶデバイス７１のｉＭＰＲにより伝送速度とｉＰＣＲの数が規定されたｉＰＣＲ〔０〕とｉＰＣＲ〔１〕のうち、入力チャンネル＃１が伝送速度とｉＰＣＲ〔０〕により、ＡＶデバイス９１は、ＩＥＥＥ１３９４シリアスバスのチャンネル＃１に送出されたアイソクロナスデータを読み込む。同様に、ＡＶデバイス９２は、ｏＰＣＲ〔０〕で指定されたチャンネル＃２に、アイソクロナスデータを送出し、ＡＶデバイス９１は、ｉＰＲＣ〔１〕にて指定されたチャンネル＃２からそのアイソクロナスデータを読み込む。
【００５０】
このようにして、ＩＥＥＥ１３９４シリアスバスによって接続されている機器間でデータ伝送が行われる。
【００５１】
次に、このようなネットワーク構成で、バス上の機器間でコネクションを設立する処理を説明する。ここでは、図１に示すようにテレビジョン受像機１００とハードディスク記録再生装置２００とがバスライン９００により接続させてある状態を想定する。
【００５２】
図１１は、バスライン上でのコントロール機器としての機能を有するテレビジョン受像機１００で、バスライン９００に接続された機器の中から、コネクションを張る機器を選択する処理を示したフローチャートである。まず、テレビジョン受像機１００では、そのテレビジョン受像機１００に用意されたボタン、或いはテレビジョン受像機用のリモートコントロール装置に配置されたボタンなどの操作で、パネル表示ボタンを押す操作を行う（ステップＳ１１）。このパネル表示ボタン操作があることをＣＰＵ１１０が判別すると、そのときのバスライン９００に接続された、テレビジョン受像機１００からＡＶ／Ｃコマンドでコントロール可能な機器を探す処理を行う。
【００５３】
この機器を探す処理で、選択可能な機器が１台か２台以上かを判断する（ステップＳ１２）。この判断で、選択可能な機器が２台以上である場合には、テレビジョン受像機１００の画面に、候補となる機器の一覧を表示させるパネル画面を表示させる。
【００５４】
図１２は、このパネル画面の表示例を示した図（即ち図１のバス接続状態とは別の例の場合の表示例）である。この例では、候補機器の一覧として、ハードディスク記録再生装置（ＨＤＲ１）と、ビデオテープ記録再生装置（ＶＴＲ１）とが捜し出されて、その２台の機器の機器名の表示１，２が行われている状態を示している。このパネル画面の表示時には、一覧表示中から接続させたい機器を選ぶ操作を促す表示３が行われている。
【００５５】
この図１２に示す表示が行われている状態で、テレビジョン受像機１００のＣＰＵ１１０は、その一覧表示の中の特定の機器が選択される操作が行われたか否か判断し（ステップＳ１３）、その操作が行われた場合に、該当する機器を接続する機器として選択し、該当する機器とテレビジョン受像機との間で、いずれかのアイソクロナスチャンネル（但しブロードキャストチャンネル以外）で、ポイントトウポイントのコネクションを張る処理を行う（ステップＳ１４）。このときのコネクションを張る処理としては、記録再生装置のように、双方向にストリームデータの伝送を行う必要がある機器の場合には、一方の機器の出力プラグと他方の機器の入力プラグとを接続させた一方の伝送経路のコネクションと、他方の機器の出力プラグと一方の機器の入力プラグとを接続させた他方の伝送経路のコネクションとを張る処理を行う。チューナなどのように、一方向にだけストリームデータの伝送を行う機器との接続の場合には、該当する方向の出力プラグと入力プラグだけを接続すれば良い。
【００５６】
なお、ここで述べる入力プラグや出力プラグは、既に説明したプラグコントロールレジスタを使用して仮想的に設定される仮想プラグである。アイソクロナスチャンネルについても、図４に示した伝送路の各サイクル内に、チャンネル毎に用意されたアイソクロナスパケットで設定されるチャンネルである。また、コネクションを張る際に、コントロール機器であるテレビジョン受像機１００とは別の機器が、バス上のアイソクロナス転送を管理するＩＲＭ（Ｉｓｏｃｈｒｏｎｏｕｓ  Ｒｅｓｏｕｒｃｅ  Ｍａｎａｇｅｒ）となっている場合には、テレビジョン受像機１００からＩＲＭに対してコネクションを張る要求を行って、該当するコネクションを張る処理が行われる。テレビジョン受像機１００がＩＲＭを兼ねる場合には、テレビジョン受像機１００内で該当する処理が行われる。
【００５７】
そして、そのコネクションが張られた状態で、その機器を操作するためのパネル画面を表示させる。例えば図１３に示すように、ハードディスク記録再生装置（ＨＤＲ１）が選択されて、その記録再生装置（ＨＤＲ１）とのコネクションが張られた場合に、記録再生装置（ＨＤＲ１）が接続機器として選ばれたことを示す表示４と、記録再生装置（ＨＤＲ１）の操作ボタン表示５と電源ボタン表示６とを表示させる。電源ボタン表示６を表示させる際には、該当する機器の電源オン・オフ状態の表示６ａについても設けてある。例えば、該当する機器が電源オン状態であるとき、表示６ａを緑色とし、電源オフ状態であるとき、表示６ａをオレンジ色とする。さらに、リンク中であることを示す表示７を行うようにしてある。
【００５８】
そして本例においては、ステップＳ１２の判断で、接続可能な機器が１台だけであると判断した場合には、図１２に示す一覧表示をすることなく、ステップＳ１４に移って、その１台の機器を接続する機器として自動的に選び、該当する機器とテレビジョン受像機との間で、いずれかのアイソクロナスチャンネルでポイントトウポイントのコネクションを張る処理を行う。本例のバスライン９００の接続状態が図１に示した接続状態であるとすると、テレビジョン受像機１００で接続対象となる機器は、ハードディスク記録再生装置２００だけであるので、この記録再生装置２００が自動的に選ばれて、その１台の記録再生装置２００との間で、アイソクロナスチャンネルでポイントトウポイントのコネクションを張る処理が行われる。このときのコネクションを張る処理についても、双方向にストリームデータの伝送を行う必要がある機器間での接続であるので、双方向のコネクションを張る。
【００５９】
このように自動的にコネクションを張る処理が完了すると、図１３に示したターゲット機器（ハードディスク記録再生装置２００）をコントロールする画面がパネル画面として表示されるようになる。
【００６０】
なお、このような自動的な接続時には、パネル画面で接続候補の一覧を表示させる必要はないが、何らかの表示をパネル画面で行うようにしても良い。例えば、接続可能な機器が１台であることを示すパネル画面を短時間表示させて、コネクションを張る処理が完了した段階で、図１３に示すパネル画面表示に移るようにしても良い。
【００６１】
図１１のフローチャートの説明に戻ると、本例においては、ステップＳ１４で選択された機器のコントロール用のパネル画面表示が行われると、次に、コネクションが張られた機器の電源がオン状態か否か判断する（ステップＳ１５）。この判断で、電源がオン状態である場合には、そのままで待機する。そして、ステップＳ１４でコネクションが張られた機器の電源がオン状態でない場合（オフ状態或いはスタンバイ状態）には、該当する機器（ここではハードディスク記録再生装置２００）に、ＡＶ／Ｃコマンドで規定された電源をオンさせるコマンドを、テレビジョン受像機１００から記録再生装置２００に送り、ハードディスク記録再生装置２００を電源オン状態とする。
【００６２】
なお、このように電源オン状態とする処理を行った場合には、図１３に示すパネル画面表示時の、電源ボタン表示６と同時に表示させるようにした、電源オン・オフ状態の表示６ａについても、電源オンに対応した表示を行わせる。また、このようにして設定されたポイントトウポイントのコネクションを解除する場合には、原則としてコネクションを張った機器からだけしか、コネクションを解除できない。従って、コネクションを解除する場合にも、テレビジョン受像機１００からの処理で実行される。
【００６３】
このようにして、接続候補となる機器が１台だけである場合には、自動的にその機器とポイントトウポイントのコネクションが張られて、その機器とアイソクロナス転送が可能となることで、従来のようにパネル表示を行って、そのパネル表示された一覧の中から機器を選択する作業が必要なくなり、操作が簡単になる効果を有する。しかも、コネクションを張った相手の機器が電源オン状態でない場合に、その機器の電源を自動的に投入させる処理まで行われるので、より操作性が向上する。なお、ステップＳ１４までのコネクションを張るまでの処理だけを行うようにして、電源投入については、ユーザのボタン操作により行うようにしても良い。また、何らかの理由で該当する２台の機器の間でポイントトウポイントのコネクションを張ることが不可能である場合には、ブロードキャストチャンネルを使用して、ストリームデータを転送させるようにしても良い。
【００６４】
なお、ここまで説明した実施の形態では、接続候補となる機器が１台だけである場合に、自動接続を行う例について説明したが、接続候補となる機器が複数台である場合であっても、予め優先的に接続させることが決まっている機器がある場合には、その機器との間で自動的に接続させるようにしても良い。
【００６５】
図１４は、その場合の処理例を示したフローチャートである。以下処理を説明すると、テレビジョン受像機１００では、そのテレビジョン受像機１００に用意されたボタン、或いはテレビジョン受像機用のリモートコントロール装置に配置されたボタンなどの操作で、パネル表示ボタンを押す操作を行う（ステップＳ２１）。このパネル表示ボタン操作があることをＣＰＵ１１０が判別すると、そのときのバスライン９００に接続された、テレビジョン受像機１００からＡＶ／Ｃコマンドでコントロール可能な機器を探す処理を行う。
【００６６】
この機器を探す処理で、選択可能な機器が１台か２台以上かを判断する（ステップＳ２２）。この判断で、選択可能な機器が１台だけであると判断した場合には、図１１に示したフローチャートと同じ処理が行われ、ステップＳ２５に移り、その１台の機器とのコネクションを確立させ、そのコネクションが張られた機器のコントロール用の画面をテレビジョン受像機１００に表示させる。そして、２台以上である場合には、その２台以上の機器の内が、予めテレビジョン受像機１００に自動接続することが登録された機器があるか否か判断する（ステップＳ２３）。
【００６７】
この自動接続することが登録された機器は、例えばテレビジョン受像機１００のキーを使用して、メニュー画面などを使用した操作で、予め受像機１００内のＣＰＵ１１０に接続されたＲＡＭ１１２などに、自動接続することを記憶（登録）された機器である。自動接続することが登録された機器が、ネットワーク内に存在していることが判った場合には、その登録された機器を接続機器として選択して、ステップＳ２５に移り、その選択された機器とのコネクションを確立させる。そして、その自動接続された機器のコントロール用の画面をパネル画面として表示させる。
【００６８】
図１５は、自動接続が行われた場合の、その自動接続された機器のコントロール用の画面の例を示した図である。この操作画面では、ハードディスク記録再生装置（ＨＤＲ１）が自動接続された場合の例であり、記録再生装置（ＨＤＲ１）が接続機器として選ばれたことを示す表示４と、記録再生装置（ＨＤＲ１）の操作ボタン表示５と電源ボタン表示６とを表示させ、さらに電源オン・オフ状態の表示６ａや、リンク中であることを示す表示７についても行うようにしてある。ここまでは図１３に示した表示と同じであるが、本例の場合には、自動接続された記録再生装置（ＨＤＲ１）以外の接続候補機器の一覧の表示８についても行うようにしてある。ここでは、ビデオテープ記録再生装置（ＶＴＲ１）が、その他の候補機器となっていることを表示８で示している。テレビジョン受像機１００のキー操作などで、この表示８を選択する操作を行うことで、コネクションを張る機器を、記録再生装置（ＨＤＲ１）からビデオテープ記録再生装置（ＶＴＲ１）に切換えることが行われる。
【００６９】
図１４のフローチャートの説明に戻ると、自動接続することが登録された機器がない場合には、テレビジョン受像機１００の画面に、候補となる機器の一覧を表示させるパネル画面を表示させる。このパネル画面としては、例えば既に説明した、図１２に示したような表示例が想定される。このパネル画面表示が行われている状態で、テレビジョン受像機１００のＣＰＵ１１０は、その一覧表示の中の特定の機器が選択される操作が行われたか否か判断し（ステップＳ２４）、その操作が行われた場合に、ステップＳ２５に移り、その選択された機器とのコネクションを確立させ、そのコネクションが張られた機器の操作画面を表示させる。
【００７０】
そして、ステップＳ２５で選択された機器のコントロール用のパネル画面表示が行われると、次に、コネクションが張られた機器の電源がオン状態か否か判断する（ステップＳ２６）。この判断で、電源がオン状態である場合には、そのままで待機する。そして、ステップＳ２５でコネクションが張られた機器の電源がオン状態でない場合（オフ状態或いはスタンバイ状態）には、該当する機器に、ＡＶ／Ｃコマンドで規定された電源をオンさせるコマンドを、テレビジョン受像機１００からコネクションが張られた機器に送り、該当する機器を電源オン状態とする。
【００７１】
このようにして、自動接続させることを予め登録しておくことで、接続候補となる機器が１台だけの場合と同様に、自動的にその機器に接続させることができ、複数台の候補機器がバスラインに接続されている場合であっても、メニュー画面を表示させて選択させるような操作が必要なく、簡単に接続を行うことがてきるようになる。また、その自動接続させた機器のコントロール画面を表示させる際には、例えば図１５に示したように、自動接続された機器以外の候補機器名などを表示させて、その表示の選択などで他の機器との接続に移るようにしたので、自動接続された機器以外の機器と接続することも簡単に行える。
【００７２】
なお、上述した実施の形態では、ＩＥＥＥ１３９４方式のバスで構成されるネットワークの場合について説明したが、その他のネットワーク構成の機器間で同様のデータ伝送を行う場合にも適用できるものである。この場合、上述したＩＥＥＥ１３９４方式の場合には、物理的なケーブルで接続させてネットワークを構成させるものであるが、例えば、無線伝送により複数台の機器でネットワークを構成させて、そのネットワーク中の特定の２台の機器間で無線によるコネクションを張って、データの伝送や制御を行うようなものにも適用可能である。
【００７３】
また、上述した実施の形態では、それぞれの機器に上述した処理を行う機能を設定させるようにしたが、同様の処理を実行するプログラムを何らかの提供媒体に記憶させてユーザに配付し、ユーザはその媒体に記憶されたプログラムをコンピュータ装置などに実装させて、同様の通信機能を実行させるようにしても良い。
【００７４】
【発明の効果】
本発明によると、接続機能な機器が１台だけである場合には、自動的に所定のコネクションが張られるようになって、機器選択操作などが必要なくなり、候補となる機器が複数台で構成されるネットワークの場合にだけ、機器選択用のパネル表示が行われることになる。
【００７５】
この場合、接続可能な機器のリストを表示させる指示があって、その指示で探し出された候補機器が１台だけである場合に、自動的にコネクションを張るようにしたことで、リスト表示時にそのリストから選択する操作が必要な場合にだけリストが表示されるようになり、操作がより簡単になる。
【００７６】
また、所定のコネクションは、アイソクロナス転送用チャンネルを使用して２台の機器間でアイソクロナス転送を行うことを可能とするコネクションであることで、いわゆるポイントトウポイントで２台機器間で接続されたコネクションを使用して、その２台の機器間で、ビデオデータやオーディオデータなどのストリームデータの伝送が良好に行えるようになる。
【００７７】
また、コントロール機器は、自動的にコネクションを張った機器の電源投入状態を判断して、電源が投入されていない場合に、電源を投入させる指令を送ることで、コネクションが張られるとほぼ同時に電源を投入させる制御が行われて、コネクションが張られた機器が使用できるようになる。
【００７８】
また、接続機能な機器の候補が複数台存在し、その内の１台に自動接続させることが登録されている場合に、その自動接続が登録された機器とコントロール機器との間で、自動的にコネクションを張る制御を行うことで、自動接続が登録された機器が存在する場合には、候補機器が複数台であっても、候補機器が１台だけの場合と同様に、パネル表示などを行うことなく自動接続されることになり、機器選択操作が必要なくなる。
【００７９】
また、この自動接続が登録された機器への自動接続を行った場合にも、該当する自動接続された機器の電源投入状態を判断して、電源が投入されていない場合に、電源を投入させる指令を送ることで、コネクションが張られるとほぼ同時に電源を投入させる制御が行われて、コネクションが張られた機器が使用できるようになる。
【図面の簡単な説明】
【図１】本発明の一実施の形態による構成例を示すブロック図である。
【図２】本発明の一実施の形態による受像機の構成例を示すブロック図である。
【図３】本発明の一実施の形態による記録再生装置の構成例を示すブロック図である。
【図４】ＩＥＥＥ１３９４方式で規定されるフレーム構造の例を示す説明図である。
【図５】ＣＲＳアーキテクチャのアドレス空間の構造の例を示す説明図である。
【図６】主要なＣＲＳの位置、名前、働きの例を示す説明図である。
【図７】プラグコントロールレジスタの構成例を示す説明図である。
【図８】バスインフォ、ルートディレクトリ、ユニットディレクトリの構成例を示す説明図である。
【図９】ｏＭＰＲ、ｏＰＣＲ、ｉＭＰＲ、ｉＰＣＲの構成例を示す説明図である。
【図１０】プラグ、プラグコントロールレジスタ、伝送チャンネルの関係の例を示す説明図である。
【図１１】本発明の一実施の形態による機器選択処理の例を示したフローチャートである。
【図１２】本発明の一実施の形態による機器リスト表示例を示した説明図である。
【図１３】本発明の一実施の形態による機器選択された場合の表示例を示した説明図である。
【図１４】本発明の他の実施の形態による自動接続が可能な機器選択処理の例を示したフローチャートである。
【図１５】本発明の他の実施の形態による機器選択された場合の表示例を示した説明図である。
【図１６】従来の機器選択処理例を示したフローチャートである。
【図１７】従来のパネル表示例を示した説明図である。
【符号の説明】
９１，９２，９３…ＡＶデバイス、１００…テレビジョン受像機、１０１…チューナ、１０２…受信回路部、１０３…多重分離部、１０４…映像生成部、１０５…ＣＲＴ駆動回路部、１０６…ＣＲＴ（陰極線管）、１０７…音声信号再生部、１０８…スピーカ、１０９…インターフェース部、１１０…中央制御ユニット（ＣＰＵ）、１１１…ＲＯＭ、１１２…ＲＡＭ、１１４…操作パネル、１１５…赤外線受光部、２００…ハードディスク記録再生装置、２０３…ディスク記録再生部、２０４…ハードディスク、２０６…アナログ／デジタル変換器、２０７…ＭＰＥＧデコーダ、２０８…デジタル／アナログ変換器、２０９…インターフェース部、２１０…中央制御ユニット（ＣＰＵ）、２１１…ＲＡＭ、２１２…操作パネル、２１３…赤外線受光部、９００…ＩＥＥＥ１３９４方式のバスライン
【図１】
2004254245.tif 000003
【図２】
2004254245.tif 000004
【図３】
2004254245.tif 000005
【図４】
2004254245.tif 000006
【図５】
2004254245.tif 000007
【図６】
2004254245.tif 000008
【図７】
2004254245.tif 000009
【図８】
2004254245.tif 000010
【図９】
2004254245.tif 000011
【図１０】
2004254245.tif 000012
【図１１】
2004254245.tif 000013
【図１２】
2004254245.tif 000014
【図１３】
2004254245.tif 000015
【図１４】
2004254245.tif 000016
【図１５】
2004254245.tif 000017
【図１６】
2004254245.tif 000018
【図１７】
2004254245.tif 000019